(57)【要約】【課題】給電コードの係止作業の効率が低下することを抑制する。【解決手段】定着装置は、筒状の回転体と、回転体の内周側に配置され、回転体の回転軸方向に延びた管状の加熱部材と、加熱部材の回転軸方向の一方側の端部に電気的に接続された第１の給電コードと、加熱部材と第１の給電コードとの接続箇所を保持する第１の碍子と、回転体の一方側の端部よりも一方側に配置され、加熱部材側の内側面と内側面とは反対側の外側面とを有する側壁と、側壁の内側面側に設けられ、第１の碍子を支持する支持部とを含む支持部材と、を備え、側壁の外側面に、第１の給電コードを係止する係止部が形成されている。【選択図】図４
2018025660.tif 000002
【特許請求の範囲】
【請求項１】
筒状の回転体と、
前記回転体の内周側に配置され、前記回転体の回転軸方向に延びた管状の加熱部材と、
前記加熱部材の前記回転軸方向の一方側の端部に電気的に接続された第１の給電コードと、
前記加熱部材と前記第１の給電コードとの接続箇所を保持する第１の碍子と、
前記回転体の前記一方側の端部よりも前記一方側に配置され、前記加熱部材側の内側面と前記内側面とは反対側の外側面とを有する側壁と、前記側壁の前記内側面側に設けられ、前記第１の碍子を支持する支持部とを含む支持部材と、を備え、
前記側壁の前記外側面に、前記第１の給電コードを係止する係止部が形成されている、定着装置。
【請求項２】
請求項１に記載の定着装置であって、
前記第１の給電コードは、前記第１の碍子の外面のうち、前記回転軸方向において前記加熱部材から最も遠く、且つ、前記回転軸方向と垂直な端面から延びており、
前記側壁は、前記第１の碍子の前記一方側の側面と平行に配置されており、
前記側壁の内、前記回転軸方向視で前記第１の碍子と重なる位置に、前記内側面から前記外側面まで貫通する開口が形成されており、
前記第１の給電コードは、前記開口を介して前記側壁の前記外側面側に引き出されて前記係止部に係止されている、定着装置。
【請求項３】
請求項１または請求項２に記載の定着装置であって、
前記支持部は、
前記回転軸方向と垂直な方向において前記第１の碍子の外周面と接する支持フレームと、
前記支持フレームに着脱され、前記回転軸方向と垂直な方向において前記支持フレームとの間で前記第１の碍子を挟むカバー部材とを有し、
前記側壁は、前記カバー部材に設けられる、定着装置。
【請求項４】
請求項３に記載の定着装置であって、
前記支持フレームは、前記回転軸方向と垂直な第１の面を、前記加熱部材と前記第１の給電コードとの接続箇所よりも前記一方側の位置に有し、
前記カバー部材は、前記第１の面よりも前記一方側に位置し、前記第１の面と対向する第２の面を有し、
前記第１の面と前記第２の面との一方の面には、前記回転軸方向に突出する突出部が形成されており、他方の面には、前記突出部に係合する係合部が形成されている、定着装置。
【請求項５】
請求項３または請求項４に記載の定着装置であって、
前記側壁は、前記第１の碍子よりも前記一方側の位置であって、且つ、前記回転軸方向視で前記第１の碍子と重なる位置に配置されている、定着装置。
【請求項６】
請求項１に記載の定着装置であって、
前記第１の給電コードは、前記第１の碍子の外面のうち、前記回転軸方向と平行な側面から延びている、定着装置。
【請求項７】
請求項１から請求項５までのいずれか一項に記載の定着装置であって、さらに、
前記加熱部材の前記回転軸方向の他方側の端部に電気的に接続された第２の給電コードと、
前記加熱部材と前記第２の給電コードとの接続箇所を保持する第２の碍子と、を備え、
前記第２の給電コードは、前記第２の碍子の外面のうち、前記回転軸方向と平行な側面から延びている、定着装置。
【請求項８】
請求項１から請求項７までのいずれか一項に記載の定着装置と、
前記定着装置を支持する本体フレームと、を備え、
前記定着装置は、前記本体フレームに対して着脱され、
前記係止部は、前記第１の碍子に対して前記定着装置の装着方向の後ろ側に配置される、画像形成装置。
【発明の詳細な説明】
【技術分野】
【０００１】
本明細書に開示される技術は、定着装置に関する。
【背景技術】
【０００２】
例えばプリンタや複写機に設けられる定着装置として、筒状の回転体と、回転体の内周側に配置され、回転体の回転軸方向に延びた管状のヒータ等の加熱部材と、加熱部材の上記回転軸方向の両端に電気的に接続された給電コードと、碍子と、支持部材とを備えたものが知られている（例えば特許文献１参照）。碍子は、例えば硝子等により形成されており、加熱部材の両端を保持する。支持部材は、加熱部材側の内側面と加熱部材と反対側の外側面とを有する側壁と、側壁の内側面側に設けられ、碍子を支持する支持部とを含む。支持部材の側壁の内側面には、係止部が形成されており、その係止部に給電コードが係止されている。
【先行技術文献】
【特許文献】
【０００３】
【特許文献１】特開２００４−１４５２１０号公報
【発明の概要】
【発明が解決しようとする課題】
【０００４】
上述の従来技術では、給電コードを係止するための係止部が、支持部材の側壁の内側面に形成されている。このため、給電コードの係止作業を、回転体や加熱部材と支持部材の側壁との間のスペースで行わざるを得ず、その結果、給電コードの係止作業の効率が低下するという問題が生じるおそれがある。このような問題は、回転体と支持部材の側壁との間のスペースが比較的に狭い定着装置において、特に顕著に生じる。
【０００５】
本明細書では、給電コードの係止作業の効率が低下することを抑制することが可能な技術を開示する。
【課題を解決するための手段】
【０００６】
本明細書に開示される技術は、以下の形態として実現することが可能である。
【０００７】
本明細書に開示される定着装置は、筒状の回転体と、前記回転体の内周側に配置され、前記回転体の回転軸方向に延びた管状の加熱部材と、前記加熱部材の前記回転軸方向の一方側の端部に電気的に接続された第１の給電コードと、前記加熱部材と前記第１の給電コードとの接続箇所を保持する第１の碍子と、前記回転体の前記一方側の端部よりも前記一方側に配置され、前記加熱部材側の内側面と前記内側面とは反対側の外側面とを有する側壁と、前記側壁の前記内側面側に設けられ、前記第１の碍子を支持する支持部とを含む支持部材と、を備え、前記側壁の前記外側面に、前記第１の給電コードを係止する係止部が形成されている。
【発明の効果】
【０００８】
本定着装置では、第１の給電コードを係止する係止部が、支持部材の側壁の外側面に形成されている。そのため、第１の給電コードの係止作業を、回転体と支持部材の側壁との間のスペースで行う必要がなく、支持部材の側壁の外側面側のスペースを利用して行うことができる。これにより、本定着装置によれば、第１の給電コードを係止する係止部が、支持部材の側壁の内側面に形成されている場合に比べて、第１の給電コードの係止作業の効率が低下することを抑制することができる。
【図面の簡単な説明】
【０００９】
【図１】プリンタ１０の全体構成を示す概略図
【図２】上カバー９００と、第１のヒータ７２０と、第２のヒータ７３０とを下側から見た下面図
【図３】一実施形態における上カバー９００の右側部分と、加熱ローラ７１０と、右側碍子７６０と、上カバー９００から離脱された右側カバー部材９５０とを右側から見た斜視図
【図４】一実施形態における上カバー９００の右側部分と、加熱ローラ７１０と、上カバー９００に装着された右側カバー部材９５０とを右側から見た斜視図
【図５】一実施形態における上カバー９００の左側部分と、加熱ローラ７１０と、左側碍子７８０と、上カバー９００から離脱された左側カバー部材９６０とを左側から見た斜視図
【図６】一実施形態における上カバー９００の左側部分と、加熱ローラ７１０と、上カバー９００に装着された左側カバー部材９６０とを左側から見た斜視図
【図７】一実施形態における上カバー９００の左側部分と、加熱ローラ７１０と、上カバー９００に装着された左側カバー部材９６０とを右側から見た斜視図
【図８】他の実施形態における上カバー９００Ａの右側部分と、加熱ローラ７１０と、上カバー９００Ａに装着された右側カバー部材９５０Ａとを右側から見た斜視図
【発明を実施するための形態】
【００１０】
一実施形態のプリンタ１０について説明する。図１は、プリンタ１０の全体構成を示す概略図である。図１には、方向を特定するための互いに直交するＸＹＺ軸が示されている。本明細書では、便宜的に、Ｚ軸正方向を上側といい、Ｚ軸負方向を下側といい、Ｘ軸正方向を前側といい、Ｘ軸負方向を後ろ側といい、Ｙ軸正方向を右側といい、Ｙ軸負方向を左側というものとする。図２以降についても同様である。
【００１１】
プリンタ１０は、１色（例えばブラック）のトナー（現像剤）を用いて、例えば記録用紙やＯＨＰシート等のシートＷに画像を形成する電子写真式のプリンタである。なお、プリンタ１０は、画像形成装置の一例である。
【００１２】
図１に示すように、プリンタ１０は、筐体１００と、シート供給部２００と、画像形成部４００とを備える。筐体１００は、シート供給部２００と画像形成部４００とを収容する。また、筐体１００の上面には、排出口１１０と、排出トレイ１２０とが形成されており、筐体１００内の排出口１１０付近に排出ローラ１３０が設けられている。なお、筐体１００は、本体フレームの一例である。
【００１３】
シート供給部２００は、トレイ２１０と、ピックアップローラ２２０とを備える。トレイ２１０は、シートＷを収容する収容体である。ピックアップローラ２２０は、トレイ２１０に収容されたシートＷをトレイ２１０から１枚ずつ取り出して、画像形成部４００に向けて搬送する。
【００１４】
画像形成部４００は、露光部５００と、プロセス部６００と、定着装置７００とを備える。露光部５００は、レーザ光Ｌ（光ビーム）を、プロセス部６００に備えられた感光体６１０に照射する。
【００１５】
プロセス部６００は、感光体６１０と、帯電部６２０と、現像部６３０と、転写ローラ６４０とを備える。帯電部６２０は、感光体６１０の表面を一様に帯電させる。帯電部６２０により帯電された感光体６１０の表面に、露光部５００からのレーザ光Ｌが照射されると、感光体６１０の表面に静電潜像が形成される。現像部６３０によって感光体６１０の表面にトナーが供給されると、感光体６１０の表面に形成された静電潜像が現像されてトナー像が形成される。感光体６１０の表面に形成されたトナー像は、転写ローラ６４０によって、感光体６１０と転写ローラ６４０との間の位置を通過するシートＷ上に転写される。
【００１６】
定着装置７００は、プロセス部６００を通過したシートＷを加熱し、シートＷに転写されたトナー像をシートＷに定着させる。これにより、シートＷに画像が形成される。定着装置７００の詳細な構成について後述する。排出ローラ１３０は、定着装置７００を通過したシートＷを、排出口１１０を介して排出トレイ１２０へと排出する。以下、シート供給部２００から排出ローラ１３０に至るまでのシートＷの搬送経路を、搬送経路Ｒ１と呼ぶ。
【００１７】
次に、定着装置７００について説明する。図１に示すように、定着装置７００は、加熱ローラ７１０と、加熱ローラ７１０に収容されている第１のヒータ７２０及び第２のヒータ７３０と、加熱ローラ７１０の上側を覆う上カバー９００と、加熱ローラ７１０の下側に配置されている加圧ローラ７４０と、加圧ローラ７４０の下側を覆う下カバー８００とを備える。
【００１８】
図２は、定着装置７００の内、上カバー９００と、第１のヒータ７２０と、第２のヒータ７３０とを下側から見た下面図である。上カバー９００の右端には、右側コード７７０と、右側碍子７６０と、右側カバー部材９５０（図２では図示せず）とが配置されており、上カバー９００の左端には、左側コード７９０と、左側碍子７８０と、左側カバー部材９６０（図２では図示せず）とが配置されている。
【００１９】
図１及び図２に示すように、加熱ローラ７１０は、円筒状の部材であり、加熱ローラ７１０の長手方向が左右方向に沿うように配置されている。加熱ローラ７１０は、左右方向に略平行な回転軸周りに回転するように設けられている。なお、加熱ローラ７１０は、回転体の一例であり、左右方向は、回転体の回転軸方向の一例である。
【００２０】
第１のヒータ７２０と第２のヒータ７３０とは、管状の発熱部材であり、具体的にはハロゲンヒータである。第１のヒータ７２０と第２のヒータ７３０とは、加熱ローラ７１０の内周側に配置されており、第１のヒータ７２０と第２のヒータ７３０との長手方向が加熱ローラ７１０の回転軸方向に沿うように配置されている。第１のヒータ７２０と第２のヒータ７３０とは、前後方向に並んで配置されており、第２のヒータ７３０は、第１のヒータ７２０の前側に配置されている。なお、第１のヒータ７２０と第２のヒータ７３０とは、加熱部材の一例である。
【００２１】
図２に示すように、第１のヒータ７２０は、第１のガラス管７２１と、第１の発熱体７２４と、第１の右側リードピン７２２、第１の左側リードピン７２３とを備えている。第１の発熱体７２４は、棒状の金属線であり、具体的にはフィラメントである。第１の発熱体７２４は、第１のガラス管７２１の内周側に、左右方向に沿うように配置されている。第１の右側リードピン７２２は、金属製の端子部材であり、一端が、第１の発熱体７２４と電気的に接続されており、他端が、第１のガラス管７２１の右端部から右側に突出している。第１の左側リードピン７２３は、金属製の端子部材であり、一端が、第１の発熱体７２４と電気的に接続されており、他端が、第１のガラス管７２１の左端部から左側に突出している。なお、第１の右側リードピン７２２は、加熱部材の回転軸方向の一方側の端部の一例であり、第１の左側リードピン７２３は、加熱部材の回転軸方向の他方側の端部の一例である。
【００２２】
第２のヒータ７３０は、第２のガラス管７３１と、第２の発熱体７３４と、第２の右側リードピン７３２と、第２の左側リードピン７３３とを備えている。第２のヒータ７３０の各部材の構成は、第１のヒータ７２０の各部材の構成と同様であるため、重複した説明を省略する。
【００２３】
右側コード７７０は、弾性変形し得る導線であり、第１の右側コード７７１と第２の右側コード７７２とを備える。第１の右側コード７７１の一端は、第１のヒータ７２０の第１の右側リードピン７２２に電気的に接続されている。第２の右側コード７７２の一端は、第２のヒータ７３０の第２の右側リードピン７３２に電気的に接続されている。第１の右側コード７７１と第２の右側コード７７２との他端は、第１のヒータ７２０と第２のヒータ７３０とに電力を供給するための電源（図示省略）に電気的に接続されている。右側コード７７０は、第１の給電コードの一例である。
【００２４】
右側碍子７６０は、左面７６０Ａと、右面７６０Ｂと、上面７６０Ｄとを有する略直方体状の耐熱部材である。右側碍子７６０は、第１のヒータ７２０と第１の右側コード７７１との接続箇所７２５、及び、第２のヒータ７３０と第２の右側コード７７２との接続箇所７３５を保持している。具体的には、第１のヒータ７２０の第１の右側リードピン７２２と、第１の右側コード７７１の一端と、第２のヒータ７３０の第２の右側リードピン７３２と、第２の右側コード７７２の一端とが、右側碍子７６０の内部に埋設されている。そして、第１のヒータ７２０及び第２のヒータ７３０は、右側碍子７６０の左面７６０Ａから左方向に延びており、右側コード７７０は、右側碍子７６０の外周面のうち、左右方向において第１のヒータ７２０及び第２のヒータ７３０から最も遠くに配置された右面７６０Ｂから右方向に延びている。なお、右側碍子７６０は、第１の碍子の一例である。
【００２５】
左側コード７９０は、弾性変形し得る導線であり、第１の左側コード７９１と第２の左側コード７９２とを備える。左側コード７９０の各部材の構成は、右側コード７７０の各部材の構成と同様であるため、重複した説明を省略する。なお、左側コード７９０は、第２の給電コードの一例である。
【００２６】
左側碍子７８０は、左面７８０Ａと、右面７８０Ｂと、後ろ面７８０Ｃと、上面７８０Ｄとを有する略直方体状の耐熱部材である。左側碍子７８０は、第１のヒータ７２０と第１の左側コード７９１との接続箇所７２６、及び、第２のヒータ７３０と第２の左側コード７９２との接続箇所７３６を保持している。第１のヒータ７２０及び第２のヒータ７３０は、左側碍子７８０の右面７８０Ｂから右方向に延びており、左側コード７９０は、左側碍子７８０の後ろ面７８０Ｃから後ろ方向に延びている。なお、左側碍子７８０は、第２の碍子の一例である。
【００２７】
第１のヒータ７２０と、第２のヒータ７３０と、右側コード７７０とは、右側碍子７６０により一体化されており、第１のヒータ７２０と、第２のヒータ７３０と、左側コード７９０とは、左側碍子７８０により一体化されている。そのため、第１のヒータ７２０と、第２のヒータ７３０と、右側コード７７０と、右側碍子７６０と、左側コード７９０とは、左側碍子７８０とは、一体化された状態で、上カバー９００に対して着脱される。
【００２８】
図１又は図２に示すように、上カバー９００は、平板状の樹脂製部材であり、上カバー９００の長手方向が左右方向に沿うように配置されている。上カバー９００の詳細な構成について後述する。なお、上カバー９００は、支持フレームの一例である。
【００２９】
図１に示すように、加圧ローラ７４０は、円柱状の部材であり、加圧ローラ７４０の長手方向が左右方向に沿うように配置されている。加圧ローラ７４０は、搬送経路Ｒ１に対して加熱ローラ７１０とは反対側に、加熱ローラ７１０と接触するように配置されている。加圧ローラ７４０は、左右方向に略平行な回転軸周りに回転するように設けられている。加圧ローラ７４０は、加熱ローラ７１０に向けて押圧されており、これにより、加熱ローラ７１０と加圧ローラ７４０との間にニップ部が形成されている。
【００３０】
下カバー８００は、加圧ローラ７４０の長手方向に延びる平板状の樹脂製部材である。下カバー８００の加圧ローラ７４０側の上面８０１には、加圧ローラ７４０の長手方向に延びる収容溝８０２が形成されている。収容溝８０２の形状は、左右方向視で円弧状である。収容溝８０２に、加圧ローラ７４０の下側部分が収容されている。
【００３１】
図３は、上カバー９００の右側部分と、加熱ローラ７１０と、右側碍子７６０と、上カバー９００から離脱された右側カバー部材９５０とを右側から見た斜視図である。図４は、上カバー９００の右側部分と、加熱ローラ７１０と、上カバー９００に装着された右側カバー部材９５０とを右側から見た斜視図である。
【００３２】
図２に示すように、上カバー９００は、加熱ローラ７１０と対向する下面９０１と、左右方向と垂直な右端面９０３及び左端面９０４とを有する。上カバー９００の下面９０１の左右方向における中央部には、左右方向に延びる収容溝９０２が形成されている。収容溝９０２の形状は、左右方向視で円弧状である。収容溝９０２に、加熱ローラ７１０の上側部分が収容されている。
【００３３】
図２から図４に示すように、上カバー９００の下面９０１の右端には、凹状の右側支持凹部９３０と、略直方体状の固定台９２０とが形成されている。右側支持凹部９３０は、収容溝９０２と右端面９０３との間に形成されている。具体的には、右側支持凹部９３０は、加熱ローラ７１０の回転軸方向に延び、収容溝９０２を構成している内側面９０２Ａから上カバー９００の右端面９０３まで貫通している凹状の溝である。右側支持凹部９３０は、左右方向視で、前面９３０Ａと、後ろ面９３０Ｂと、上面９３０Ｃとを有する略矩形状をしている。
【００３４】
右側支持凹部９３０は、右側碍子７６０の上側部分を収容している。右側支持凹部９３０の前後方向の寸法は、右側碍子７６０の前後方向の寸法と略等しく、右側碍子７６０は、左右方向視で上カバー９００と重ならない位置に配置されている。そのため、右側碍子７６０は、右側支持凹部９３０内において左右方向に移動することができる。右側碍子７６０の前面の上側部分は、右側支持凹部９３０の前面９３０Ａと当接しており、右側碍子７６０の後ろ面の上側部分は、右側支持凹部９３０の後ろ面９３０Ｂと当接しており、右側碍子７６０の上面７６０Ｄは、右側支持凹部９３０の上面９３０Ｃと当接しており、これにより、右側碍子７６０の各面が右側支持凹部９３０により支持されている。なお、右側支持凹部９３０、固定台９２０、及び、上カバー９００のこれらの周辺部分は、支持部の一例である。
【００３５】
右側碍子７６０の右面７６０Ｂは、上カバー９００の右端面９０３と面一となるように配置されている。一方、右側碍子７６０の左側部分は、上カバー９００の収容溝９０２へと突出しており、収容溝９０２に収容された加熱ローラ７１０の内部に配置されている。
【００３６】
固定台９２０は、略直方体状であり、右側支持凹部９３０に対して下側斜め後ろ側に配置されており、上カバー９００の下面９０１から下側に突出している。固定台９２０の右端面は、上カバー９００の右端面９０３の一部を構成している。
【００３７】
図３に示すように、上カバー９００の右端面９０３の内、固定台９２０を構成する部分には、突起９２１と、固定穴９２２とが形成されている。突起９２１は、上カバー９００の右端面９０３から右側に突出している。固定穴９２２は、右側カバー部材９５０を上カバー９００に固定するための穴であり、突起９２１の前側に配置されている。なお、上カバー９００の右端面９０３は、第１の面の一例であり、突起９２１は、突出部の一例である。
【００３８】
右側カバー部材９５０は、上カバー９００に着脱され、上カバー９００に装着された状態で、右側碍子７６０の下端部分を覆う。右側カバー部材９５０は、前側壁９７１と、下側壁９７２と、後ろ側壁９７３と、右側壁９５１とを備える。右側カバー部材９５０が上カバー９００に装着された状態で、前側壁９７１は、右側支持凹部９３０に収容された右側碍子７６０の前面の下側部分を覆う。下側壁９７２は、固定台９２０の下側面と右側支持凹部９３０に収容された右側碍子７６０の下面を覆う。後ろ側壁９７３は、固定台９２０の後ろ面の下側部分を覆う。右側壁９５１は、固定台９２０の右側面と右側支持凹部９３０に収容された右側碍子７６０の右面７６０Ｂを覆う。なお、右側カバー部材９５０は、カバー部材の一例であり、右側壁９５１は、側壁の一例である。
【００３９】
右側壁９５１は、右側カバー部材９５０が上カバー９００に装着された状態で、加熱ローラ７１０の右側の端部よりも右側に配置される。右側壁９５１は、右側カバー部材９５０が上カバー９００に装着された状態で、第１のヒータ７２０及び第２のヒータ７３０側に位置する内側面９５１Ａと、第１のヒータ７２０及び第２のヒータ７３０とは反対側に位置する外側面９５１Ｂとを有する。右側カバー部材９５０が上カバー９００に装着された状態で、右側壁９５１は、右側碍子７６０の右面７６０Ｂと平行に配置され、上カバー９００に形成された右側支持凹部９３０が、右側壁９５１の内側面９５１Ａ側に位置する。以下の説明では、断りのない限り、右側カバー部材９５０が上カバー９００に装着された状態を説明しているものとする。なお、右側壁９５１の内側面９５１Ａは、第２の面の一例である。
【００４０】
また、右側壁９５１には、開口９５８と、第１の係止部９５４と、第２の係止部９５６と、規制穴９５２と、貫通穴９５３とが形成されている。
【００４１】
開口９５８は、右側壁９５１を、第１のヒータ７２０及び第２のヒータ７３０側に位置する内側面９５１Ａから第１のヒータ７２０及び第２のヒータ７３０とは反対側に位置する外側面９５１Ｂまで貫通し、上側が開放している切り欠きである。図４に示すように、開口９５８は、左右方向視で右側碍子７６０と重なる位置に形成されており、詳細には、右側碍子７６０の右面７６０Ｂから延びる右側コード７７０の一端と重なる位置に形成されている。開口９５８の前後方向の寸法は、右側碍子７６０の右面７６０Ｂの前後方向の寸法よりも小さく、開口９５８の上下方向の寸法は、右側碍子７６０の右面７６０Ｂの上下方向の寸法よりも小さい。そのため、右側壁９５１の開口９５８の周辺部分９５８Ａは、右側碍子７６０よりも右側の位置であって、且つ、左右方向視で右側碍子７６０と重なる位置に配置され、これにより、右側碍子７６０の右側への移動が規制される。
【００４２】
第１の係止部９５４と第２の係止部９５６とは、右側壁９５１の外側面９５１Ｂに設けられている。第１の係止部９５４と第２の係止部９５６とは、開口９５８の後ろ側に配置されている。第１の係止部９５４は、右側壁９５１の外側面９５１Ｂに対して上側に向かってＬ字状に屈曲しており、詳細には、前後方向視で左右方向に沿って配置されている第１の中継部分と、第１の中継部分の右端部から上側に屈曲して、上下方向に沿って延びる第１の先端部分とを有する。これにより、第１の係止部９５４と右側壁９５１の外側面９５１Ｂとの間には、前後方向及び上側に開口する隙間９５５が形成されている。第２の係止部９５６は、右側壁９５１の外側面９５１Ｂに対して下側に向かってＬ字状に屈曲しており、詳細には、前後方向視で左右方向に沿って配置されている第２の中継部分と、第２の中継部分の右端部から下側に屈曲して、上下方向に沿って延びる第２先端部分とを有する。これにより、第２の係止部９５６と右側壁９５１の外側面９５１Ｂとの間には、前後方向及び下側に開口する隙間９５７が形成されている。
【００４３】
規制穴９５２と貫通穴９５３とは、右側壁９５１を内側面９５１Ａから外側面９５１Ｂまで左右方向に貫通する穴である。図３に示すように、規制穴９５２と貫通穴９５３とは、開口９５８に対して下側斜め後ろ側に配置されている。規制穴９５２は、左右方向視で上カバー９００の突起９２１と重なる位置に形成されており、貫通穴９５３は、左右方向視で上カバー９００の固定穴９２２と重なる位置に形成されている。なお、規制穴９５２は、係合部の一例である。
【００４４】
右側カバー部材９５０は、上カバー９００に装着される際に、上カバー９００の突起９２１に沿って上カバー９００の右側から装着される。これにより、上カバー９００の突起９２１が、右側壁９５１の規制穴９５２に係合するため、右側カバー部材９５０が、上カバー９００に対して前後方向及び上下方向に移動不能に規制された状態で、上カバー９００に装着される。
【００４５】
右側碍子７６０の右面７６０Ｂから延びる右側コード７７０は、右側壁９５１の開口９５８を介して右側壁９５１の外側面９５１Ｂ側に引き出される。右側コード７７０は、開口９５８を介して右側壁９５１の外側面９５１Ｂに引き出された後に、第１の係止部９５４に上側から差し入れられて係止され、第２の係止部９５６に下側から差し入れられて係止される。つまり、右側コード７７０は、右側碍子７６０に対して後ろ側に配置された第１の係止部９５４と第２の係止部９５６とに係止されることで、右側碍子７６０に対して後述する装着方向ＤＲ１の後ろ側（上流側）に引き回される。上カバー９００への装着後、右側カバー部材９５０は、貫通穴９５３を貫通して固定穴９２２にネジ止めされるスクリュー９５９により、上カバー９００に固定される。
【００４６】
右側碍子７６０は、上端部が上カバー９００の右側支持凹部９３０に収容され、下端部が右側カバー部材９５０に覆われた状態で支持される。つまり、右側碍子７６０は、上下方向において、上カバー９００と右側カバー部材９５０との間で挟まれた状態で支持される。そのため、右側支持凹部９３０及び、上カバー９００のこれらの周辺部分と右側カバー部材９５０とにより、右側碍子７６０を支持する支持部材９７０（図４参照）が形成されている、ということができる。
【００４７】
図５は、上カバー９００の左側部分と、加熱ローラ７１０と、左側碍子７８０と、上カバー９００から離脱された左側カバー部材９６０とを左側から見た斜視図である。図６は、上カバー９００の左側部分と、加熱ローラ７１０と、上カバー９００に装着された左側カバー部材９６０とを左側から見た斜視図である。図７は、上カバー９００の左側部分と、加熱ローラ７１０と、上カバー９００に装着された左側カバー部材９６０とを右側から見た斜視図である。
【００４８】
図２及び図５から図７に示すように、上カバー９００の下面９０１の左端には、凹状の左側支持凹部９４０と、固定穴９０５（図５参照）とが形成されている。固定穴９０５は、左側カバー部材９６０を上カバー９００に固定するためのネジ穴であり、左側支持凹部９４０の前側に配置されている。左側支持凹部９４０は、収容溝９０２と左端面９０４との間に配置されており、収容溝９０２に収容された加熱ローラ７１０の左側の端縁よりも左側に配置されている。具体的には、左側支持凹部９４０は、第１のヒータ７２０と第２のヒータ７３０との長手方向に延び、収容溝９０２を構成している内側面９０２Ａから上カバー９００の左端面９０４まで貫通している凹状の溝である。左側支持凹部９４０は、左右方向視で、前面９４０Ａと、後ろ面９４０Ｂと、上面９４０Ｃとを有する略矩形状をしている。
【００４９】
左側支持凹部９４０は、左側碍子７８０の上側部分を収容している。左側支持凹部９４０の前後方向の寸法は、左側碍子７８０の前後方向の寸法と略等しく、左側碍子７８０は、左右方向視で上カバー９００と重ならない位置に配置されている。そのため、左側碍子７８０は、左側支持凹部９４０内において左右方向に移動することができる。左側碍子７８０の前面の上側部分は、左側支持凹部９４０の前面９４０Ａと当接しており、左側碍子７８０の後ろ面７８０Ｃの上側部分は、左側支持凹部９４０の後ろ面９４０Ｂと当接し、左側碍子７８０の上面７８０Ｄは、左側支持凹部９４０の上面９４０Ｃと当接しており、これにより、左側碍子７８０の各面が左側支持凹部９４０により支持されている。
【００５０】
左側碍子７８０の左面７８０Ａは、上カバー９００の左端面９０４と面一となるように配置されている。また、左側碍子７８０の右面７８０Ｂは、上カバー９００の収容溝９０２を構成している内側面９０２Ａと面一となるように配置されている。そのため、左側碍子７８０の全体が、収容溝９０２に収容された加熱ローラ７１０の左側の端縁よりも左側に配置されている。
【００５１】
左側カバー部材９６０は、上カバー９００に着脱され、上カバー９００に装着された状態で、左側碍子７８０の下端部分を覆う。左側カバー部材９６０は、前側壁９６１と、下側壁９６３と、後ろ側壁９６６と、左側壁９６８と、右側壁９６５とを備える。左側壁９６８は、前側壁９６１と、下側壁９６３と、後ろ側壁９６６との左側に接続されており、左側壁９６８の上側部分が、前側壁９６１や後ろ側壁９６６の上側部分よりも上側に突出している。右側壁９６５は、前側壁９６１と、下側壁９６３と、後ろ側壁９６６との右側に接続されており、左側壁９６８の上側部分９８２（図７参照）は、前側壁９６１や後ろ側壁９６６の上側部分よりも上側に突出している。前側壁９６１と、後ろ側壁９６６と、右側壁９６５との詳細な構成について後述する。
【００５２】
左側カバー部材９６０が上カバー９００に装着された状態で、前側壁９６１は、固定穴９０５と左側支持凹部９４０に収容された左側碍子７８０の前面の下側部分と接する。下側壁９６３は、左右方向視で左側碍子７８０と重ならない位置に配置され、左側碍子７８０の下面と接する。後ろ側壁９６６は、左側碍子７８０の後ろ面７８０Ｃの下側部分と接する。右側壁９６５は、加熱ローラ７１０の左側の端縁と左側碍子７８０との間に配置され、左側碍子７８０の右面７８０Ｂと接する。左側壁９６８は、左側碍子７８０の左面７８０Ａと接する。つまり、左側壁９６８は、左右方向視で左側碍子７８０と重なる位置に配置され、これにより、左側碍子７８０の左側への移動が規制される。以下の説明では、断りのない限り、左側カバー部材９６０が上カバー９００に装着された状態を説明しているものとする。
【００５３】
前側壁９６１は、L字状に屈曲しており、左右方向視で上下方向に沿って配置されている第１の板状部分９６１Ａと、第１の板状部分９６１Ａの上端部から前側に屈曲して、前後方向に沿って延びる第２の板状部分９６１Ｂとを有する。第１の板状部分９６１Ａは、左側碍子７８０の前面を覆う。第２の板状部分９６１Ｂは、上カバー９００の下面９０１に当接する。第２の板状部分９６１Ｂには、貫通穴９６２が形成されており、貫通穴９６２は、上下方向視で上カバー９００の固定穴９０５と重なる位置に形成されている。
【００５４】
後ろ側壁９６６には、開口９６７が形成されている。開口９６７は、後ろ側壁９６６を前後方向に貫通する貫通穴である。図６に示すように、開口９６７は、前後方向視で左側碍子７８０の後ろ面７８０Ｃから延びる左側コード７９０の一端と重なる位置に形成されている。
【００５５】
右側壁９６５には、開口９６４が形成されている。開口９６４は、右側壁９６５を左右方向に貫通し、上側が開放している切り欠きである。図７に示すように、開口９６４は、左右方向視で左側碍子７８０と重なる位置に形成されている。詳細には、左右方向視で第１のヒータ７２０及び第２のヒータ７３０と重なる位置に形成されている。開口９６４の前後方向の寸法は、左側碍子７８０の前後方向の寸法よりも小さく、開口９６４の上下方向の寸法は、左側碍子７８０の上下方向の寸法よりも小さい。そのため、右側壁９６５の開口９６４の周辺部分９８１は、左右方向視で左側碍子７８０と重なる位置に配置され、これにより、左側碍子７８０の右側への移動が規制される。
【００５６】
また、右側壁９６５の上側部分９８２は、左側碍子７８０よりも上側に突出しており、左右方向視で上カバー９００の左側支持凹部９４０の上側部分と重なる位置に配置されている。
【００５７】
左側カバー部材９６０は、上カバー９００に装着される際に、上カバー９００の下側から装着される。左側カバー部材９６０が上カバー９００に装着された状態で、左側碍子７８０の後ろ面７８０Ｃから延びる左側コード７９０は、後ろ側壁９６６の開口９６７を介して後ろ側壁９６６の外側に引き出される。上カバー９００への装着後、左側カバー部材９６０は、貫通穴９６２を貫通して固定穴９０５にネジ止めされるスクリュー９６９により、上カバー９００に固定される。
【００５８】
左側碍子７８０は、上端部が上カバー９００の左側支持凹部９４０に収容され、下端部が左側カバー部材９６０に覆われた状態で支持される。つまり、左側碍子７８０は、上下方向において、上カバー９００と左側カバー部材９６０との間で挟まれた状態で支持される。そのため、左側支持凹部９４０及び、上カバー９００のこれらの周辺部分と左側カバー部材９６０とにより、左側碍子７８０を支持する支持部材９８０（図６参照）が形成されている、ということができる。
【００５９】
定着装置７００は、筐体１００に対して着脱される。図４に示すように、定着装置７００は、筐体１００に対して装着方向ＤＲ１に移動されて、筐体１００に装着される。具体的には、定着装置７００は、筐体１００に装着されるときに、筐体１００に対して装着方向ＤＲ１に移動され、筐体１００に設けられた位置決め部材（図示省略）に嵌合することで位置決めされ、これにより、筐体１００に支持される。
【００６０】
本実施形態では、右側コード７７０を係止する第１の係止部９５４と第２の係止部９５６とが、右側カバー部材９５０の右側壁９５１の外側面９５１Ｂに形成されている。そのため、右側コード７７０の係止作業を、加熱ローラ７１０と右側カバー部材９５０の右側壁９５１との間のスペースで行う必要がなく、右側カバー部材９５０の右側壁９５１の外側面９５１Ｂ側のスペースを利用して行うことができる。これにより、第１の係止部９５４と第２の係止部９５６とが、右側カバー部材９５０の右側壁９５１の内側面９５１Ａに形成されている場合に比べて、右側コード７７０の係止作業の効率が低下することを抑制することができる。
【００６１】
また、本実施形態では、右側コード７７０が、右側碍子７６０の右面７６０Ｂから延びており、右側壁９５１の左右方向視で右側碍子７６０と重なる位置に開口９５８が形成されており、右側コード７７０が、この開口９５８を介して右側壁９５１の外側面９５１Ｂ側に引き出されている。そのため、例えば右側コード７７０が右側碍子７６０の左右方向と直交する方向における側面から延びていたり、開口９５８が、右側壁９５１の左右方向視で右側碍子７６０と重ならない位置に形成されている場合に比べて、右側コード７７０が、加熱ローラ７１０の回転軸方向と直交する方向において右側碍子７６０よりも外側にはみ出ることが抑制され、右側コード７７０に対する第１のヒータ７２０及び第２のヒータ７３０からの輻射熱の影響を抑制することができる。
【００６２】
また、本実施形態では、第１の係止部９５４と第２の係止部９５６とが、右側カバー部材９５０に設けられているので、第１の係止部９５４と第２の係止部９５６とが上カバー９００に設けられている場合のように、右側碍子７６０を上カバー９００に装着しながら、第１の係止部９５４と第２の係止部９５６とに右側コード７７０を係止する必要がなく、右側コード７７０の係止作業の効率が低下することを抑制することができる。
【００６３】
また、本実施形態では、上カバー９００の右端面９０３に形成された突起９２１が、右側壁９５１の内側面９５１Ａに形成された規制穴９５２に係合しており、突起９２１は、固定台９２０の右端面９０３から右側に突出している。つまり、右側カバー部材９５０は、上カバー９００に着脱される際に、上カバー９００に対して左右方向に着脱され、左右方向と直交する方向への移動が規制されている。そのため、右側カバー部材９５０が上カバー９００に着脱される際に、上カバー９００に対して左右方向と直交する方向へ移動される場合に比べて、加圧ローラ７４０などの他の部材と干渉することを抑制して、右側カバー部材９５０を上カバー９００に着脱することができる。
【００６４】
また、本実施形態では、右側カバー部材９５０の右側壁９５１における開口９５８の周辺部分９５８Ａが、右側カバー部材９５０が上カバー９００に装着された状態で、左右方向視で右側碍子７６０と重なる位置に配置される。そのため、右側カバー部材９５０により、右側碍子７６０の右側への移動を規制することができる。
【００６５】
また、本実施形態では、左側コード７９０が、左側碍子７８０の後ろ面７８０Ｃから延びている。そのため、左側コード７９０が、左側碍子７８０の左面７８０Ａから延びている場合に比べて、左右方向における定着装置７００の寸法を小さくすることができ、定着装置７００を小型化することができる。
【００６６】
また、本実施形態では、第１の係止部９５４と第２の係止部９５６とが、右側碍子７６０に対して定着装置７００の装着方向ＤＲ１の上流側に配置され、右側コード７７０が、定着装置７００の装着方向ＤＲ１の上流側に沿うように係止されている。そのため、定着装置７００の装着方向ＤＲ１の下流側に沿うように係止される場合に比べて、筐体１００に定着装置７００を装着摺る際に、右側コード７７０が筐体１００に設けられた他の部材と干渉することを抑制することができ、筐体１００に定着装置７００を容易に装着することができる。
【００６７】
本明細書で開示される技術は、上述の実施形態に限られるものではなく、その要旨を逸脱しない範囲において種々の形態に変形することができ、例えば次のような変形も可能である。
【００６８】
上記実施形態では、左側コード７９０が、左側碍子７８０の後ろ面７８０Ｃから延びている例を示したが、これに限定されず、例えば左側コード７９０が左側碍子７８０の左右方向と直交する方向における他の側面から延びていてもよければ、左側碍子７８０の左面７８０Ａから延びていてもよい。
【００６９】
上記実施形態では、右側コード７７０が、右側碍子７６０の右面７６０Ｂから延びている例を示したが、これに限定されず、右側コード７７０が右側碍子７６０の外面のうち、左右方向と平行な側面、例えば図８に示すように右側碍子７６０の後ろ面７６０Ｃから延びていてもよい。図８は、他の実施形態における定着装置７００Ａの上カバー９００Ａと、加熱ローラ７１０と、上カバー９００Ａに装着された右側カバー部材９５０Ａとを右側から見た斜視図である。以下では、定着装置７００Ａの構成の内、上述した一実施形態における定着装置７００の構成と同一の構成については、同一の符号を付すことによってその説明を適宜省略する。
【００７０】
図８に示すように、定着装置７００Ａでは、上カバー９００Ａに形成された固定台９２０Ａの右端部が、上カバー９００Ａの右端面９０３よりも左側に位置している。また、定着装置７００Ａでは、右側カバー部材９５０Ａは、第１の右側壁９５１Ｃと、第２の右側壁９５１Ｄとを備える。第１の右側壁９５１Ｃは、右側支持凹部９３０に収容された右側碍子７６０の右面７６０Ｂを覆う。第２の右側壁９５１Ｄは、固定台９２０Ａの右面を覆う。第２の右側壁９５１Ｄには、第１の係止部９５４と、規制穴９５２と、貫通穴９５３とが形成されている。
【００７１】
さらに、定着装置７００Ａは、右側支持凹部９３０に収容された右側碍子７６０の右面７６０Ｂを覆う後ろ側壁９７３を備える。後ろ側壁９７３には、開口９５８Ｂが形成されている。開口９５８Ｂは、右側碍子７６０の後ろ面７６０Ｃから延びる右側コード７７０と重なる位置に形成されている。右側碍子７６０の後ろ面７６０Ｃから延びる右側コード７７０は、開口９５８Ｂを介して右側カバー部材９５０Ａの外側に引き出され、第１の係止部９５４に上側から差し入れられて係止される。
【００７２】
本実施形態の定着装置７００Ａでは、右側コード７７０が右側碍子７６０の外面のうち、左右方向と平行な後ろ面７６０Ｃから延びている。そのため、右側コード７７０が右側碍子７６０の右面７６０Ｂよりも右側に配線されないため、左右方向における定着装置７００Ａの寸法を小さくすることができ、定着装置７００Ａを小型化することができる。
【００７３】
上記実施形態では、右側カバー部材９５０が上カバー９００に装着された状態で、右側壁９５１の一部が、左右方向視で右側碍子７６０と重なる位置に配置される例を示したが、これに限定されず、右側壁９５１が、左右方向視で右側碍子７６０と重ならない位置に配置されてもよい。
【００７４】
上記実施形態では、上カバー９００の右端面９０３に突起９２１が形成されており、右側壁９５１の内側面９５１Ａに規制穴９５２が形成されている例を示したが、右側カバー部材９５０が上カバー９００に対して左右方向と直交する方向へ移動することを規制する手段は、上記に限定されない。例えば、上カバー９００の右端面９０３に穴が形成されており、右側壁９５１の内側面９５１Ａに突起が形成されていてもよい。さらには、右側カバー部材９５０が上カバー９００に対して左右方向と直交する方向へ移動することを規制する手段が形成されていなくてもよい。
【００７５】
上記実施形態では、第１の係止部９５４と第２の係止部９５６とが、右側カバー部材９５０に設けられている例を示したが、これに限定されず、第１の係止部９５４と第２の係止部９５６とが上カバー９００に設けられていてもよい。
【００７６】
上記実施形態では、右側壁９５１の左右方向視で右側碍子７６０と重なる位置に開口９５８が形成されている例を示したが、これに限定されず、右側壁９５１の左右方向視で右側碍子７６０と重ならない位置に開口９５８が形成されていてもよい。
【００７７】
上記実施形態のプリンタ１０の構成は、あくまで一例であり、種々変形可能である。上記実施形態では、プリンタ１０は、１色（ブラック）のトナーを用いて印刷を行うとしているが、印刷に用いられるトナー色の種類や色数はこれに限られない。
【００７８】
また、画像形成装置は、プリンタ単体に限らず、複写機、ファクシミリ装置や複合機でもよい。これらの複写機等にも本発明を適用することができる。
【００７９】
また、上記実施形態では、定着装置のヒータとして、ハロゲンヒータを例示したが、これに限定されず、例えば、赤外線ヒータやカーボンヒータなどを適用してもよい。
【符号の説明】
【００８０】
７００：定着装置  ７１０：加熱ローラ  ７２０：第１のヒータ  ７３０：第２のヒータ  ７６０：右側碍子  ７７０：右側コード  ７８０：左側碍子  ７９０：左側コード  ９００：上カバー  ９２１：突起  ９３０：右側支持凹部  ９４０：左側支持凹部  ９５０：右側カバー部材  ９５１：右側壁  ９５１Ａ：内側面  ９５１Ｂ：外側面  ９５２：規制穴  ９５４：第１の係止部  ９５６：第２の係止部  ９５８：開口  ９６０：左側カバー部材  ９６７：開口  ９７０：支持部  ９８０：支持部  ＤＲ１：装着方向
【図１】
2018025660.tif 000003
【図２】
2018025660.tif 000004
【図３】
2018025660.tif 000005
【図４】
2018025660.tif 000006
【図５】
2018025660.tif 000007
【図６】
2018025660.tif 000008
【図７】
2018025660.tif 000009
【図８】
2018025660.tif 000010